(57)【要約】【課題】排気ファンなどの強制排気手段を用いず、シンプルな装置構造で、少なくとも画像形成時は、画像読取部が画像形成部からの熱の影響を受け難く、原稿画像読み取りの精度への悪影響を抑制できる画像形成装置を提供する。【解決手段】画像形成部の筐体の上面端部に設けられた、少なくとも画像形成時は画像読取部に覆われていない排気口を通じて、該画像形成部から発生する熱を該筐体の外部へ自然排出させることにより、画像形成部で加熱された空気による画像読取部の温度上昇を抑制する。【選択図】図１
2008129497.tif 000002
【特許請求の範囲】
【請求項１】
画像データに基づき記録材に画像形成を行う画像形成部と、該画像形成部の筐体の上方に配設され、原稿画像の読み取りを行い前記画像データを生成する画像読取部とを有する画像形成装置において、
前記画像形成部は、前記筐体上面の側端部に前記画像形成部から発生する熱を該筐体の外部へ排出する排気口を有し、
前記画像読取部と前記画像形成部は、前記排気口を覆う位置と該排気口の少なくとも一部を開放する位置との間を相対的に移動可能となるように構成されている
ことを特徴とする画像形成装置。
【請求項２】
前記画像形成部は、画像形成された記録材の搬出部を有し、
前記画像読取部と前記画像形成部は、前記搬出部を開放する位置に移動可能となるように構成されている
ことを特徴とする請求項１に記載の画像形成装置。
【請求項３】
前記画像読取部は、
スライドレールを介して移動可能となるように前記筐体に支持されている
ことを特徴とする請求項１または２に記載の画像形成装置。
【請求項４】
前記画像読取部は、キャスターが取り付けられた脚部を有する
ことを特徴とする請求項１乃至３のいずれか１項に記載の画像形成装置。
【請求項５】
前記画像形成部及び前記画像読取部の両者に着脱自在に設けられ、脚部としての機能も有する画像形成後の記録材を受ける排紙処理部を備えた
ことを特徴とする請求項１乃至３のいずれか１項に記載の画像形成装置。
【発明の詳細な説明】
【技術分野】
【０００１】
本発明は、画像形成部と、この画像形成部の筐体の上方に配設された画像読取部とを有する画像形成装置に関する。
【背景技術】
【０００２】
近年、画像形成部の筐体の上方に画像読取部を配設した画像形成装置（複写機や複合機など）が登場している。この画像形成装置は、画像読取部で原稿から画像データを得て、画像形成部で電子写真プロセスにより感光体表面に画像データに基づくトナー画像を形成し、このトナー画像を記録材に転写する。
【０００３】
このような画像形成装置は、原稿を載置する画像読取部を画像形成部の筐体の上方に配設することで操作性もよく、また通常は読み取る原稿とほぼ同サイズ以上の面積を要する画像読取部と画像形成部が上下に配置されているので、画像形成装置の設置空間が少なくてよいといったメリットがある。
【０００４】
しかし、このような構成の画像形成装置においては次のような問題がある。すなわち、画像読取部の下方に設置した画像形成部は、その筐体内に定着装置や、高速回転するメインモータ、記録紙搬送用モータ、あるいはポリゴンミラー回転用モータなど、さまざまな発熱源を有している。そのため、例えば多量の枚数を連続して印刷するような場合、それらの発熱源により加熱された空気が上昇していくことで、画像形成部の筐体の上方に配設された画像読取部の温度が上昇し、その熱の影響により画像読取部で行われる画像の読み取りの精度を低下させることが起こり得る。
【０００５】
このような問題に対し、特許文献１には、画像形成部と画像読取部のそれぞれから発生する熱を外部に排出するために、画像形成部と画像読取部との間に排気装置を設けた画像形成装置が提案されている。この排気装置は、画像形成部の筐体上面と画像読取部の筐体下面のそれぞれに設けた排気口と連結して排気口からの排気を導入する吸気口と、吸気口から導き入れた空気を装置外へ導出する強制排気ファンから構成されている。画像形成装置内部で加熱された空気を強制的に吸気しながら排気することで、画像形成装置の機内温度の上昇を効果的に防止している。
【０００６】
また、特許文献２には、画像形成部の筐体上部に支持部材を介して画像読取部を結合して配置することにより、支持部材により形成される画像形成部と画像読取部との空間に排気ファンを内蔵した排気ユニットを配設した画像形成装置が提案されている。排気ユニットをこの空間に配設し、装置側面方向に加熱された空気を排気することで、画像読取部内部の温度上昇が防止されるとともに、画像形成部の機内温度上昇の防止や、帯電手段等から発生するオゾンの除去等が効率よく行われる。
【特許文献１】特開２００２−１２３１３８号公報
【特許文献２】特開２００１−１４７５６７号公報
【発明の開示】
【発明が解決しようとする課題】
【０００７】
しかしながら、特許文献１や特許文献２に記載の技術では、画像形成部とこの画像形成部の筐体の上方に配設される画像読取部の間に、排気ファンなどの強制排気手段を設けているので、装置の構造も複雑にならざるを得なくなる。
【０００８】
そこで本発明は、排気ファンなどの強制排気手段を必要とせず、シンプルな装置構造で、画像読取部が画像形成部で発生した熱の影響を受け難く、原稿画像読み取りの精度への悪影響を抑制できる画像形成装置を提供することを目的とする。
【課題を解決するための手段】
【０００９】
本発明の目的は、以下の構成要件を備えた画像形成装置によって達成することができる。
【００１０】
すなわち、本発明に係る画像形成装置は、画像データに基づき記録材に画像形成を行う画像形成部と、該画像形成部の筐体の上方に配設され、原稿画像の読み取りを行い前記画像データを生成する画像読取部とを有する画像形成装置において、前記画像形成部は、前記筐体上面の側端部に前記画像形成部から発生する熱を該筐体の外部へ排出する排気口を有し、前記画像読取部と前記画像形成部は、前記排気口を覆う位置と該排気口の少なくとも一部を開放する位置との間を相対的に移動可能となるように構成されていることを特徴とするものである。
【発明の効果】
【００１１】
本発明によれば、画像形成部の筐体上面の側端部に画像形成部から発生する熱を筐体の外部へ排出する排気口を設けたので、画像形成部から発生する熱を筐体の外部へ自然排出させることができ、排気ファンなどの強制排気手段を必要としないシンプルな装置構造とすることができる。また、画像読取部と画像形成部は、排気口を覆う位置と排気口の少なくとも一部を開放する位置との間を相対的に移動可能となるように構成した。このような構成にすることにより、画像形成部で加熱された空気による画像読取部の温度上昇を抑制し、大量印刷時でも画像読取部の性能低下を防止でき、画質の劣化しない印刷物を得ることができる。
【発明を実施するための最良の形態】
【００１２】
以下、図を参照して本発明の実施の形態を説明する。以下の説明においては、画像形成部を「プリンタ部」、画像読取部を「スキャナ部」という用語を用いて説明する。
【００１３】
図１は、本発明の一実施形態である画像形成装置１の概要断面構成図であり、スキャナ部をプリンタ部に対し相対的に移動させて、プリンタ部の筐体上面の側端部に設けた排気口を開放した状態を示している。スキャナ部とプリンタ部の配置の概要について述べる。
【００１４】
図１において、符号１００はプリンタ部であり、符号３００はスキャナ部であり、符号２００は排気口である。
【００１５】
排気口２００は、プリンタ部１００の筐体１００’上面の側端部（図１の筐体１００’の上部右側端部）に設けられている。排気口２００にはルーバー２０１が設けられており、プリンタ部１００で高温に熱せられた空気が、ルーバー２０１から装置外に排出されるようになっている。
【００１６】
スキャナ部３００は、図１に示すように、プリンタ部１００の筐体１００’の上方に配設されており、排気口２００を覆う位置と排気口２００の少なくとも一部を開放する位置との間を相対的に移動可能となるように構成されている。
【００１７】
スキャナ部３００の温度が上昇し、その熱の影響によりスキャナ部３００で行われる画像の読み取りの精度を低下させる虞がある場合には、プリンタ部１００で加熱された空気によるスキャナ部３００の温度上昇を回避するために、印刷開始前にスキャナ部３００を排気口２００を覆わない位置に移動することができる。
【００１８】
スキャナ部３００とプリンタ部１００とは、矢印Ｃで示したように相対的にスライドして移動可能な構成となっている。スキャナ部３００とプリンタ部１００とを相対的にスライド移動させることで、図１の実線に示すように、排気口２００を開放する位置にスキャナ部３００を移動させることができる。すなわち、スキャナ部３００は排気口２００の上に覆い被さらない位置に配置され、スキャナ部３００が排気口２００からの放熱の影響を受けない構成とすることができる。
【００１９】
また、数枚程度の印刷や非画像形成時のように、スキャナ部３００の温度が上昇する虞がないときには、図１の一点鎖線に示すように、排気口２００を覆う位置にスキャナ部３００を移動させることで、コンパクトに収納できる。
【００２０】
スキャナ部３００とプリンタ部１００とを相対的にスライド可能とする構成については後述する。ここで図１３を用いて、スキャナ部３００とプリンタ部１００の詳細構成について述べる。図１３は、本発明に係る画像形成装置の全体構成図である。
【００２１】
スキャナ部３００は、原稿を載置する構成と、原稿を順次搬送する構成とを有する自動原稿搬送ユニットＡＤＦＵと、その自動原稿搬送ユニットＡＤＦＵにより搬送される原稿画像を読み取るための原稿画像読取ユニットＧＹから構成されている。
【００２２】
自動原稿搬送ユニットＡＤＦＵは、原稿載置台２６と、原稿搬送ローラＲ１を含むローラ群および原稿の移動通路を適宜切り替えるための切換手段等（符号なし）を含む原稿搬送処理部２８とを主要素とする。
【００２３】
原稿画像読取ユニットＧＹは、プラテンガラスＧの下にあり、露光手段としての露光器Ｌ、光路長を保って往復移動できるミラーユニット３０、固定の結像レンズ３３、ライン状の撮像素子３５等からなる。
【００２４】
プリンタ部１００は、像担持体としての感光体ドラム１０、スキャナ部３００により読み取られた原稿画像を処理する画像制御基板ＣＲ、例えばスコロトロン帯電器を用いる帯電電極１４、画像制御基板ＣＲによる画像処理後の画像データに従って感光体ドラム１０上に画像の書込みを行う画像書込ユニット１２、例えば磁気ブラシを用いる現像装置１６、転写電極１８、分離電極２０、クリーニング装置２１、定着装置ＴＨ、記録材としての記録紙Ｐを収納する給紙トレイ２２、２４を有する記録材収納部ＰＦ等により構成される。なお給紙トレイ２２、２４は、本実施形態においては、上下方向２段に配設した形態であるが、それ以上の数の給紙トレイを備えることもできる。
【００２５】
プリンタ部１００に配設される画像書込ユニット１２は、レーザ光源４０、ポリゴンミラー（偏光器）４２等からなる。また、分離電極２０の記録紙Ｐの搬送方向下流側に配置される定着装置ＴＨは、加熱源を内蔵する定着ローラ（符号なし）と、該定着ローラに圧接しながら回転する圧着ローラ（符号なし）等からなり、通常交換可能なように定着ユニットとして構成されている。
【００２６】
ＣＬは定着ローラクリーニング手段であり、定着装置ＴＨの定着ローラ（符号なし）に当接して設けられている。帯電電極１４、画像書込ユニット１２、現像装置１６、転写電極１８、分離電極２０、クリーニング装置２１等の画像形成プロセス手段は、感光体ドラム１０の周辺に配設される。
【００２７】
符号７０は、記録紙Ｐ上に転写による画像形成を行わせるための第１搬送路であり、適宜の送り出しローラ５０、５３から送り出される記録紙Ｐが、鉛直方向上方に搬送されるように、下方から上方に延びて設けられている。
【００２８】
符号８０は、記録紙Ｐの両面に画像形成を行う場合に使用する記録紙Ｐの表裏反転用の第２搬送路であり、図１３の上方において第１搬送路７０と連通し、記録紙Ｐが鉛直方向下方に搬送されるように、第１搬送路７０と略平行に、上方から下方に向かって延びて設けられている。
【００２９】
記録紙Ｐは、第２搬送路８０を通して鉛直方向下方に搬送される。分岐ガイド９０は、片面に画像が形成された記録紙Ｐを排紙通路７８に向かわせたり、または、記録紙Ｐの両面に画像を形成する際に、第２搬送路８０に向かわせたりするように制御される。
【００３０】
上述のような画像形成装置の構成において、プリンタ部１００は、定着装置ＴＨや、高速回転するメインモータ、記録紙搬送用モータ、あるいはポリゴンミラー回転用モータなど（何れも不図示）、さまざまな発熱源を有している。従来、スキャナ部３００の下方にそういった発熱源を有するプリンタ部１００が配置されているため、そこで発生する熱の影響を受け、上方のスキャナ部３００の温度が上昇し、読み取り精度が低下するという問題を有していた。
【００３１】
本実施形態に係る構成においては、スキャナ部３００を、発熱源であるプリンタ部１００からの加熱された空気の排気口２００を覆わない位置に配置するようスキャナ部を移動可能としている。
【００３２】
従って、プリンタ部１００からの熱を筐体１００’の上面の側端部に有する排気口２００からの自然排気により放熱し、スキャナ部３００の温度上昇を抑えることができ、スキャナ部３００の画像読み取り精度の低下を防止することができる。また、プリンタ部１００からの熱は、排気口２００から自然排気できるので排気ファンなどを設けずとも、ルーバ２０１を介して、装置の外に放熱を行うことができる。
【００３３】
また、スキャナ部３００の温度が上昇する虞がないときには、排気口２００を覆うようにスキャナ部３００を移動することも可能であり、コンパクトに収納することもできる。
【００３４】
スキャナ部３００の温度が上昇し、読み取り精度が低下する虞があるときの排気口２００を塞がないようなスキャナ部３００とプリンタ部１００の配置について、図２を用いて詳細に説明する。図２は、本実施形態に係る画像形成装置１を上から見た平面図である。
【００３５】
図２（ａ）は、スキャナ部３００を、排気口２００を開放する位置に移動させた状態を示すものである。図に示すようにスキャナ部３００は、排気口２００を覆わない位置に配置されている。
【００３６】
このような配置により、プリンタ部１００の発熱源からの熱を排気口２００を介して上方に逃がすようにしているため、スキャナ部３００の温度上昇を抑えることができ、画質の劣化を防止することができる。
【００３７】
また図２（ｂ）は、スキャナ部３００を、排気口２００を少なくとも一部開放する位置に移動させた状態を示すものである。図に示すようにスキャナ部３００は排気口２００の一部を覆っているが、一部は開放されており、プリンタ部１００で発生する熱の量によっては、排気口２００の開放された部分を介して十分に上方に逃がすことができる。このようにプリンタ部１００とスキャナ部３００は、排気口２００の少なくとも一部を開放する位置に相対移動するような構成でもよい。
【００３８】
図１に戻り、スキャナ部３００とプリンタ部１００を相対的にスライド可能とする構成について説明する。
【００３９】
図１においては、プリンタ部１００の筐体１００’の上部にスライドレール５００を取り付け、このスライドレール５００の一部をスキャナ部３００の下部側面付近に取り付けることにより、スキャナ部３００とプリンタ部１００は相対的に移動可能な構成となっている。
【００４０】
図３と図４にスライドレール５００の詳細な図を示す。
【００４１】
図３において、スライドレール５００は、略コの字型の３つのスライドレールａ５０１、スライドレールｂ５０２、スライドレールｃ５０３と取り付け板５０４とからなる。一番外側のスライドレールａ５０１の底部をプリンタ部１００に取り付け、固定している。また、一番内側のスライドレールｃ５０３には、取り付け板５０４が取り付けられており、この取り付け板５０４をスキャナ部３００の側面の下部付近に取り付けている。
【００４２】
また、スライドレールｃ５０３の内側にあるスライドレールｂ５０２には長穴が開けられており、スライドレールａ５０１に取り付けられたスライド規制ストッパネジ５０５とこの長穴５０６により、スライドレールｂ５０２の移動距離が規制されている。
【００４３】
図４に、図３のＡ方向から見た側面図を示す。図４のようにスライドレールｃ５０３の端部が一部曲げられており、スキャナ部３００を排気口２００を開放する位置まで移動させた時、この曲げ部５０７がスライドレールｂ５０２の端部に当たることにより、スライドレールｃ５０３の移動距離が規制され、スキャナ部３００を排気口２００が完全に開放される位置まで移動させることができる。
【００４４】
さらに、スライドレールｂ５０２、スライドレールｃ５０３を縮ませることで、スライドレールａ５０１の端部の一部を曲げたストッパー５０８に、スライドレールｂ５０２、スライドレールｃ５０３の端部が当たり、スキャナ部３００を排気口２００を完全に覆う位置まで移動させることができる。
【００４５】
このように、スキャナ部３００をプリンタ部１００に対して相対的にスライド可能とすることで、図１を用いて既述したように、スキャナ部３００の温度が上昇し、その熱の影響によりスキャナ部３００で行われる画像の読み取り精度を低下させる虞があるときは、実線のようにスキャナ部３００を排気口２００を開放する位置に移動させる。また、スキャナ部３００の温度上昇の虞がないときには、１点鎖線のようにスキャナ部３００を排気口２００を覆う位置に移動させることで、コンパクトに収納することができる。
【００４６】
また、図５に示すように、紙詰まりのメンテナンスなどのためにも、スキャナ部３００を移動できるようにしてもよい。例えば、画像形成された記録紙Ｐを排紙部ＥＸに排出する搬出部Ｇ付近で紙詰まりが生じたとき、図５のようにスキャナ部３００を排気口２００上方の方向（図面で右方向）にスライドさせることで、画像形成された記録紙Ｐの除去作業をしやすくすることができる。
【００４７】
この場合、スキャナ部３００は、排気口２００を覆う方向へ、排気口２００を大幅に通り越して、搬出部Ｇを開放させる位置まで移動できる構成を取ることになる。
【００４８】
また、図６に示すように、画像形成装置１のスキャナ部３００の左側下方に生ずるスペースに、プリンタ部１００から画像形成された記録紙Ｐを受け、ソートやステイプルなどの処理を行う排紙処理部、例えば排紙ソータ４００を連結しても良い。
【００４９】
原稿載置台２６（図１３参照）を有するスキャナ部３００の長さは、少なくとも記録材の長さ、すなわち画像形成された記録紙Ｐの長さ以上が必要である。従って、スキャナ部３００の温度が上昇するような場合には、排気口２００を開放する位置にスキャナ部３００を移動させるので、プリンタ部１００の長さに対してスキャナ部３００の長さが排気口２００の位置と反対側（図面左側）に張り出すことになり、スキャナ部３００の図面左下（プリンタ部１００の図面左側）に空きスペースができる。
【００５０】
この空きスペースに排紙ソータ４００を連結することにより、画像形成装置の設置面積を有効に利用できるだけでなく、スキャナ部３００の脚部としての機能も有することになる。排紙ソータ４００を用いて大量の印刷を連続して行うような場合でも、スキャナ部３００の温度上昇が抑えられるので、スキャナ部３００での画像読み取り精度の低下はなく、高画質な画像を形成することができる。
【００５１】
ここでは、排紙ソータ４００は、プリンタ部１００とスキャナ部３００の両者に着脱自在に設けられている。
【００５２】
排紙ソータ４００をプリンタ部１００とスキャナ部３００の両者に着脱自在に設けることにより、スキャナ部３００の温度上昇の虞がないような場合には、スキャナ部３００を排気口２００を覆う位置まで移動することが可能となる。このような場合には、排紙ソータ４００は使用せずに、筐体１００’に設けられた排紙部ＥＸに排紙することもできる。
【００５３】
排紙ソータ４００には、移動可能なようにキャスター４５０が取り付けられている。図６に示すように実線の位置から一点鎖線の位置に、スキャナ部３００と排紙ソータ４００を一体的に移動させることで、排紙ソータ４００近辺の、または搬出部Ｇでの紙詰まりなどの対処が行える。
【００５４】
排紙ソータ４００とプリンタ部１００は、図７に示すようにロック爪４１０によりフレームに設けられた接合穴Ｌとで連結されている。また、排紙ソータ４００のプリンタ部１００側の側面には、ストッパーゴム４２０が取り付けられており、下部にはキャスター４５０が付いている。
【００５５】
このような構成とすることで、排紙ソータ４００とプリンタ部１００との連結を容易に行える。また、ロック爪４１０にはロック解除レバー４３０がつけられており、紙詰まりなどの時には解除され、図７のように引き出され、記録紙除去の作業を容易に行うことができる。
【００５６】
本発明に係る画像形成装置のまた別の構成例を図８に示す。本構成は、図１に示した画像形成装置１の構成において、スキャナ部３００が脚部を有し、プリンタ部１００とスキャナ部３００とを相対移動可能な構成としたものである。
【００５７】
図８において、スキャナ部３００は、底部の四隅にキャスターを備えた脚部６０１〜６０４を備えている。この脚部６０１〜６０４の内側で、スキャナ部３００下方に、キャスター７０１〜７０４を備えたプリンタ部１００が配置されている。キャスターはスキャナ部３００またはプリンタ部１００の何れかのみが備えていてもよい。
【００５８】
スキャナ部３００の温度が上昇し、画像の読み取り精度を低下させるようなときには、プリンタ部１００はスキャナ部３００の下方の位置から引き出され、図８の実線のように排気口２００が開放される位置までスキャナ部３００を引き出した状態で画像形成が行われる。
【００５９】
また、スキャナ部３００の温度が上昇する虞がないときには、図８の１点鎖線のようにスキャナ部３００の下方にプリンタ部１００が引き込まれた状態におかれる。または、逆にプリンタ部１００に対してスキャナ部３００を移動させても相対的に同じ状態が実現できる。
【００６０】
このようにすることで、スキャナ部３００の温度が上昇し、画像の読み取り精度が低下する虞があるときにも、スキャナ部３００は排気口２００からの放熱の影響を受けることがないので、精度のよい画像読み取りを行うことができる。また、スキャナ部３００の温度が上昇する虞がないときには、プリンタ部１００をスキャナ部３００の下に収納することができるので、コンパクトにすることができる。
【００６１】
また、スキャナ部３００の下方からプリンタ部１００が引き出された時、電源が入り、画像形成終了後、スキャナ部３００の下方に収納したときに電源が切れるようにしても良い。このようにすることで、不必要に電力を消費することがなく、省エネルギー化が図れる。
【００６２】
図９は、上述した画像形成装置１から、スキャナ部３００のスライド移動可能な機能を省略した画像形成装置２の構成例を示す。
【００６３】
図９によれば、符号１００はプリンタ部であり、符号３００はスキャナ部であり、符号２００は排気口である。スキャナ部３００は、プリンタ部１００の筐体１００’の上方全面を覆わないように配設し、スキャナ部３００に覆われていない筐体１００’の上面に、プリンタ部１００から発生する熱を筐体１００’の外部へ排出する排気口２００が設けられている。
【００６４】
具体的には、排気口２００は、プリンタ部１００の上方で、且つプリンタ部１００の筐体１００’の上面側端部（図９の筐体１００’の上部右側端部）に設けられている。排気口２００にはルーバー２０１が設けられており、プリンタ部１００で高温に熱せられた空気は、ルーバー２０１から装置外に排出されるようになっている。スキャナ部３００は、プリンタ部１００の上方の、プリンタ部１００で加熱された空気を排出する排気口２００を覆わない位置に固定的に配設されている。
【００６５】
この構成においても、スキャナ部３００を、発熱源であるプリンタ部１００からの加熱された空気の排気口２００を覆わない位置に配設しているので、プリンタ部１００からの熱を排気口２００からの自然排気により放熱している。
【００６６】
このような構成にすることにより、スキャナ部３００の温度上昇を抑えることができ、スキャナ部３００の画像読み取り精度の低下を防止することができる。また、プリンタ部１００からの熱は、排気ファンなどを設けずとも、ルーバ２０１を介して、装置の外に放熱を行うことができる。
【００６７】
図１０に示すように、スキャナ部３００が固定されているので、画像形成装置２の左側に生じたスキャナ部３００の下方スペースに、排紙処理部として排紙ソータ４００などを取り付けることができる。
【００６８】
原稿載置台２６（図１３参照）を有するスキャナ部３００の長さは、少なくとも記録紙Ｐの長さ以上が必要である。従って、排気口２００の上にスキャナ部３００がなく、このためプリンタ部１００の長さに対してスキャナ部３００の長さが排気口２００の位置と反対側に張り出すことになり、プリンタ部１００の図面左側に空きスペースができる。
【００６９】
この空きスペースに排紙ソータ４００を連結することにより、設置面積を有効に利用できる。また、排紙ソータ４００を用いて大量の印刷処理を行っても、スキャナ部３００の温度上昇が抑えられるので、画像読み取り精度の低下はなく、高画質な画像を形成することができる。
【００７０】
排紙ソータ４００は、紙詰まりの時は、図１０の１点鎖線のようにプリンタ部１００から待避させることで、容易に記録紙を除去することができる。プリンタ部１００と連結した排紙ソータ４００の着脱については、前述した画像形成装置１の場合と同様である。
【００７１】
また、図１１に示すように、図９に示したスキャナ部３００の右横スペースを利用して、排気口２００に排熱ダクト２５０を設けることができる。排熱ダクト２５０を設けることにより、排熱ダクトがない場合に高温になりやすいスキャナ部の側面部分への熱の影響も抑制できる。
【００７２】
さらに、図１２に示すように、排熱ダクト２５０の内部に排気ファン２８０を設けることもできる。
【００７３】
以上のように本発明によれば、画像読取部に対する、画像形成部の内部にある発熱源の熱の影響を抑制し、画像読取部の温度上昇を抑えることにより、良好な画像を形成する画像形成装置を提供することができる。
【００７４】
なお本発明の範囲は、上記実施形態に限定されるものではない。本発明の趣旨を逸脱しない限り、それらの変更された形態もその範囲に含むものである。
【図面の簡単な説明】
【００７５】
【図１】本発明に係る実施形態である画像形成装置１の概略構成図である。
【図２】画像形成装置１を上から眺めた平面図である。
【図３】スライドレールの構成を示す概略構成図である。
【図４】スライドレールの側面図である。
【図５】画像読取部を画像形成部に対して移動させた状態を示す概略構成図である。
【図６】画像読取部と連結した排紙処理部を備えた画像形成装置１の概略構成図である。
【図７】排紙処理部と画像形成部とのロックの構造を示す概略構成図である。
【図８】画像読取部が脚部を備えた画像形成装置１の概略構成図である。
【図９】別の構成を有する画像形成装置２の概略構成図である。
【図１０】排紙処理部を備えた画像形成装置２の概略構成図である。
【図１１】排熱ダクトを備えた画像形成装置２の概略構成図である。
【図１２】排熱ダクト内部に排気ファンを備えた画像形成装置２の概略構成図である。
【図１３】本実施形態に係る画像形成装置の概略断面構成図である。
【符号の説明】
【００７６】
１、２  画像形成装置
１０  感光体ドラム
１２  画像書込ユニット
１４  帯電電極
１６  現像装置
１８  転写電極
２０  分離電極
１００  プリンタ部（画像形成部）
１００’  プリンタ部の筐体
２００  排気口
２０１  ルーバー
２５０  排熱ダクト
２８０  排気ファン
３００  スキャナ部（画像読取部）
４００  排紙処理部（排紙ソータ）
４１０  ロック爪
４２０  ストッパーゴム
４３０  ロック解除レバー
４５０、７０１〜７０４  キャスター
５００  スライドレール部
５０１  スライドレールａ
５０２  スライドレールｂ
５０３  スライドレールｃ
５０４  取り付け板
５０５  スライド規制ストッパネジ
５０６  長穴
５０７  曲げ部
５０８  ストッパー
６０１〜６０４  脚部
ＡＤＦＵ  自動原稿搬送ユニット
ＧＹ  原稿画像読取ユニット
ＥＸ  排紙部
Ｇ  搬出部（記録紙排出出口）
Ｐ  記録紙
ＴＨ  定着装置
【図１】
2008129497.tif 000003
【図２】
2008129497.tif 000004
【図３】
2008129497.tif 000005
【図４】
2008129497.tif 000006
【図５】
2008129497.tif 000007
【図６】
2008129497.tif 000008
【図７】
2008129497.tif 000009
【図８】
2008129497.tif 000010
【図９】
2008129497.tif 000011
【図１０】
2008129497.tif 000012
【図１１】
2008129497.tif 000013
【図１２】
2008129497.tif 000014
【図１３】
2008129497.tif 000015